(57)【要約】【課題】顧客に提供する飲食物の種類を多くすることが出来る食物管理装置を提供する。【解決手段】飲食物の種類を飲食物収容体毎に複数種類設定したデータベースを有し、読み取り器により読み取った情報と開閉検出器で検出した蓋体の開閉情報に基づき物収容体により搬送される飲食物の種類を算出するたコトローラが備えられ、蓋体が開いた飲食物収容体に収容する飲食物を、読み取り器により読み取った情報と開閉検出器で検出した蓋体の開閉情報に基づきコトローラにより複数種類の飲食物から算出して、蓋体が開いた飲食物収容体に、前回収容の飲食物とは異なる種類の飲食物が収容されるようした。【選択図】図１０
2017023430.tif 000002
【特許請求の範囲】
【請求項１】
飲食物搬送装置の搬送路に載せられた複数の飲食物収容体に収容されて搬送される飲食物を管理するための飲食物搬送管理装置であって、前記飲食物収容体は、飲食物が盛られた容器を載置するための容器載置部を有する載置台と、この載置台の容器載置部上を覆うための蓋体とが備えられて、前記蓋体は容器載置部に対して開閉可能に取り付けられており、飲食物搬送管理装置は、複数の飲食物収容体を個別に特定するための情報が書き込まれてこれら飲食物収容体に設けられるＩＣタグと、前記搬送路を介して搬送される前記飲食物収容体に設けられた前記ＩＣタグから飲食物収容体個別の特定情報を読み取るための読み取り器と、前記搬送路を介して搬送される前記飲食物収容体の蓋体の開閉を検出するための開閉検出器と、飲食物収容体に収容する飲食物の種類を飲食物収容体毎に複数種類設定したデータベースを有し、前記読み取り器により読み取った情報と前記開閉検出器で検出した蓋体の開閉情報に基づいて前記飲食物収容体により搬送される飲食物の種類を算出するためのコントローラとが備えられ、前記容器の取り出しにより蓋体が開いた飲食物収容体に収容する飲食物を、前記読み取り器により読み取った情報と前記開閉検出器で検出した蓋体の開閉情報に基づいて前記コントローラにより前記データベースに設定した複数種類の飲食物から算出して、蓋体が開いた前記飲食物収容体に、前回収容の飲食物とは異なる種類の飲食物が収容されるようしていることを特徴とする飲食物搬送管理装置。
【発明の詳細な説明】
【技術分野】
【０００１】
本発明は、飲食物搬送装置によって搬送される飲食物を管理するための管理装置に関する。
【背景技術】
【０００２】
一般に回転寿司店と称される飲食店では、客席に沿って循環移動する搬送路を備えた飲食物搬送装置が設置され、調理人が寿司などの飲食物を例えば皿に載せた上で飲食物搬送装置の搬送路上に移し替えて客席に順次搬送する一方、顧客は順次送られてくる寿司などの飲食物を好みに応じて搬送路から適宜取り出して食するようにしている。
また出願人は、飲食物が盛られた容器を載置するための容器載置部を有する載置台と、この載置台の容器載置部上を覆うための蓋体を容器載置部に対して開閉可能に取り付けるとともに容器載置部上への皿の載置に伴い蓋体を閉動作させ容器載置部上からの皿の取り出しに伴い蓋体を開動作させるための開閉機構が備えられた飲食物収容体を開発（特許文献１参照）している。
またこの飲食物収容体に収容されて搬送される飲食物を管理するために、飲食物収容体に収容される飲食物の種類を表す情報が書き込まれてこの飲食物収容体に設けられるＩＣタグと、前記搬送路を介して搬送される前記飲食物収容体の前記ＩＣタグから飲食物の種類を表す情報を読み取るための読み取り器と、前記搬送路を介して搬送される前記飲食物収容体の蓋体の開閉を検出するための開閉検出器と、前記読み取り器により読み取った情報と前記開閉検出器で検出した蓋体の開閉情報に基づいて前記飲食物収容体により搬送される飲食物の種類とその数量を算出するためのコントローラを備え、前記読み取り器により読み取った情報と前記開閉検出器で検出した蓋体の開閉情報に基づいて、前記容器の取り出しにより蓋体が開いた飲食物収容体に収容されていた飲食物の種類とその数量を前記コントローラにより算出するようにした飲食物管理装置（特許文献２参照）を提案している。
【０００３】
前記した飲食物管理装置では、飲食物を収容した飲食物収容体が搬送路を介して客室に順次搬送される一方、顧客は順次送られてくる飲食物収容体から好みの飲食物を取り出して食するのであって、飲食物が皿とともに取り出されると、飲食物収容体の蓋体は開く。
そして蓋体の開いた飲食物収容体が読み取り器及び開閉検出器を通過する時点で、読み取り器によりＩＣタグから飲食物の種類を示す番号やＩＣタグの固有番号を読み取るとともに、開閉検出器により蓋体が開いた飲食物収容体を検出して、これら読み取り器及び開閉検出器からの情報に基づき、コントローラにより、食された寿司の種類及びその個数を算出して、飲食物管理モニターに随時表示される。
従って従業員は、飲食物管理モニターに表示される種類及び個数に基づいて寿司を作成して、厨房室に戻ってくる空になった飲食物収容体に対して食された寿司と同じものを補充すればよい。
【０００４】
しかしながら以上の管理装置では、飲食物収容体には常に同一種類の飲食物が補充されるので、顧客に提供される飲食物の種類が飲食物収容体の使用数量に限定されてしまう。
【先行技術文献】
【特許文献】
【０００５】
【特許文献１】特許第５４１６２８８号
【特許文献２】特許第５７２２８４２号
【発明の概要】
【発明が解決しようとする課題】
【０００６】
本発明は以上の実情に鑑みて開発したものであって、目的とするところは、顧客に提供する飲食物の種類を多くすることが出来て、顧客の満足度を高めることが可能な飲食物管理装置、換言すれば、顧客に対してより多くの種類の飲食物を合理的に提供可能な飲食物管理装置を提供することにある。
【課題を解決するための手段】
【０００７】
以上の目的を達成するために、請求項１に記載の発明は、飲食物搬送装置の搬送路に載せられた複数の飲食物収容体に収容されて搬送される飲食物を管理するための飲食物搬送管理装置であって、前記飲食物収容体は、飲食物が盛られた容器を載置するための容器載置部を有する載置台と、この載置台の容器載置部上を覆うための蓋体とが備えられて、前記蓋体は容器載置部に対して開閉可能に取り付けられており、飲食物搬送管理装置は、複数の飲食物収容体を個別に特定するための情報が書き込まれてこれら飲食物収容体に設けられるＩＣタグと、前記搬送路を介して搬送される前記飲食物収容体に設けられた前記ＩＣタグから飲食物収容体個別の特定情報を読み取るための読み取り器と、前記搬送路を介して搬送される前記飲食物収容体の蓋体の開閉を検出するための開閉検出器と、飲食物収容体に収容する飲食物の種類を飲食物収容体毎に複数種類設定したデータベースを有し、前記読み取り器により読み取った情報と前記開閉検出器で検出した蓋体の開閉情報に基づいて前記飲食物収容体により搬送される飲食物の種類を算出するためのコントローラとが備えられ、前記容器の取り出しにより蓋体が開いた飲食物収容体に収容する飲食物を、前記読み取り器により読み取った情報と前記開閉検出器で検出した蓋体の開閉情報に基づいて前記コントローラにより前記データベースに設定した複数種類の飲食物から算出して、蓋体が開いた前記飲食物収容体に、前回収容の飲食物とは異なる種類の飲食物が収容されるようしていることを特徴とする。
【発明の効果】
【０００８】
本発明によれば、容器が取り出されて空となった飲食物収容体に対して、前回投入された飲食物とは異なる種類の飲食物が投入されるようにコントロールされるので、全体として顧客に提供可能な飲食物の種類が増える。
【図面の簡単な説明】
【０００９】
【図１】飲食物搬送装置が備えられた店舗内を平面的に表した説明図。
【図２】飲食物搬送装置の要部の拡大断面図。
【図３】飲食物搬送装置の要部の拡大断面図。
【図４】蓋体が開いた状態の飲食物収容体の正面図。
【図５】皿を搭載した状態の飲食物収容体の断面図。
【図６】皿を搭載した状態の飲食物収容体の底面図。
【図７】飲食物搬送装置の要部の概略説明図。
【図８】ＩＣタグを備えたホルダーの正面図。
【図９】ＩＣタグを備えたホルダーの平面図。
【図１０】制御システムの説明図。
【発明を実施するための形態】
【００１０】
図１は、寿司店舗内を平面的に表したものである。
この寿司店舗は、図１及び図２に示されるように、客室Ｓ２に設置するテーブルＴと、厨房室Ｓｌの前面乃至テーブルＴに沿って配置した仕切ハウジング２と、仕切ハウジング２上に周回状に設けられて厨房室Ｓｌ内で容器としての皿Ｐに盛った寿司等の飲食物を各テーブルＴに搬送するための搬送路３を備えた飲食物搬送装置４が備えられている。
【００１１】
仕切ハウジング２は、図２に示すように、所定間隔開けて相対向する側壁２１・２２とこれら両側壁２１・２２の上端及び下端を結ぶ上壁２３及び底壁から断面ボックス状に形成されたものであって、厨房室Ｓｌの前面に沿って配設されてこの厨房室Ｓ１と客室Ｓ２とを区画する第１ハウジング部２ａと、第１ハウジング部２ａの長手方向両端から屈曲して客室Ｓ２内に平行に延びる第２、第３、第４ハウジング部２ｂ・２ｃ・２ｄとから成り、第２、第３・第４ハウジング部２ｂ・２ｃ・２ｄにおける側壁２１・２２の外側方には、前述のテーブルＴが配置されている。
【００１２】
飲食物搬送装置４を構成する搬送路３は、各ハウジング部２ａ・２ｂ・２ｃ・２ｄの上壁２３に設けた凹所３１と、この凹所３１内をモータ駆動により循環移動する無端状のフラットチエンコンベア３２が備えられているのであって、このフラットチエンコンベア３２が特許請求範囲に記載の搬送路３を構成している。
なお容器としての皿Ｐは、既知のとおり、平面視円形の皿板Ｐ１とこの皿板Ｐ１の下面より下方に突出する円筒状の高台Ｐ２から構成されている。
また図２おいて４０は、飲食物循環搬送装置３における搬送路３０の上方に配設された注文搬送装置であって、飲食物搬送装置４における搬送路３０の往路部分及び復路部分の上方位置にそれぞれ個別に配設されている。
この注文飲食物搬送装置４０は、注文の飲食物を載せて走行する搬送手段としての搬送体４０ａと、この搬送体４０ａの走行路を構成する左右一対の走行案内レール４０ｂと、搬送体４０ａを走行案内レール４０ｂに沿って走行させるための駆動装置４０ｃが備えられている。
【００１３】
図において符号５で示す飲食物収容体は、飲食物搬送装置４のフラットチエンコンベア３２上に載せて用いるものであり、次にこの飲食物搬送用収容体５を説明する。
飲食物搬送用収容体５は、基本的には、前述の皿Ｐを載置するための容器載置部６０を有する載置台６と、この載置台６の容器載置部６０上を覆うための蓋体７と、容器載置部６０上への皿４の載置に伴い蓋体７を閉動作させるとともに容器載置部６０上からの皿Ｐの取り出しに伴い蓋体７を開動作させるための開閉機構８から構成されている。
【００１４】
載置台６は、図３に示されるように、容器載置部６０が円筒状のべース筒６１の上端に一体に形成されている。この容器載置部６０は、平面視円形のプレート状に形成された載置板６２から構成され、この載置板６２上に皿Ｐが載置されるようになっている。
また載置板６２の上面には、皿Ｐの高台Ｐ２の下端部外周が係合可能なストッパ６２ａが突設されている。このストッパ６２ａの内周面は、高台Ｐ２の外周面に沿って密接する平面視湾曲状に形成されている。
【００１５】
蓋体７は、図３にも示すように、椀状に形成された蓋本体７１と、この蓋本体７１の後端部から下方に延びる左右一対のアーム片７２を備えている。蓋体７は、前記の容器載置部６０の上面に対して開閉可能に取り付けられ、容器載置部６０に載置された皿Ｐ上の飲食物（寿司Ｆ）を蓋本体７１で覆うようになっている。
具体的には、枢軸７３がアーム片７２に一体形成されている。容器載置板６２の上面後端部には、アーム片７２の外側位置でアーム片７２と対向する左右一対の支持片６３が突設されている。この支持片６３の上部には、嵌合孔が開けられており、この嵌合孔への枢軸７３の嵌合により、蓋本体７１が容器載置部６０に対し枢軸７３を支点にして上下方向に揺動可能に支持される。
また蓋本体７１の外周縁には手指が通過可能な切り欠き７４が設けられ、皿Ｐの取り出しに際しては、この切り欠き７４の部分から手指を入れて皿板Ｐ１の周縁部を掴むようにしている。
【００１６】
開閉機構８は、図５にも示すように、載置台６の容器載置部６０の上面に前後方向にスライド可能に設けられた作動体８１と、この作動体８１を容器載置部６０の前方向に向かって付勢させるための付勢手段としてのコイルスプリング８２を備えている。
作動体８１には、その下面に左右一対のガイド部材８３とコイルスプリング８２の取付片８４が突設されている。このガイド部材８３は容器載置部６０の載置板６２に開設された前後方向に延びるガイド孔６２ａに前後移動自由に遊挿されており、また取付片８４は、載置板６２に開設された前後方向に延びる長孔６２ｂに前後移動自由に遊挿されている。コイルスプリング８２は、前記した取付片８４と、載置板６２の下面の前部側に設けられた取り付け片６２ｃとの間に架け渡されている。これにより、作動体８１は、載置板６３上においてガイド部材８３を介しガイド孔(図示せず)に沿って前後方向に移動可能に構成されている。また、作動体８１は、後方への移動に伴って伸びるコイルスプリング８２のばね反力により前方向(図５において右方向)に常に付勢されている。
【００１７】
作動体８１には、図５にも示すように、皿Ｐの高台Ｐ２の外周面が密接するように平面視湾曲面状の受け止め面８１ａが形成されている。また、作動体８１の後端部両側には、上方に延びる左右一対の突片８５が設けられ、これら突片８５の外側面には連結軸８６が突設されている。これらの連結軸８６は、アーム片７２の下端部に形成されたスリット状の長孔７５に介装されることで、作動体８１の後方(図５において左方向)へのスライドに伴って蓋本体７１が閉鎖方向に揺動するとともに作動体８１の前方へのスライドに伴って蓋本体７１が開放方向に揺動するようになっている。
【００１８】
以上の飲食物搬送用収容体５において、皿Ｐが容器載置部６０の載置板６２上に載置されていない状態では、作動体８１がスプリング８２のばね反力により容器載置部６０に対して前方に移動しているので、蓋本体７１は図４にも示すように開放状態に維持されている。
【００１９】
以上の構成からなる飲食物搬送用収容体５の使用態様を説明する。
先ず、調理人が寿司Ｆを皿Ｐの皿板Ｐ１上に盛った後、皿板Ｐ１の周縁部を手で持って、フラットチエンコンベア３２上に置かれた飲食物搬送用収容体５の載置板６２上に皿Ｐを載せる。そして、そのＰを載置板６２に対して後方に向けて押し込む。すると、開閉機構８の作動体８１が受け止め面８１ａを介して皿４５の高台４７の外周面で押されて後方に移動する。これにより、作動体８１の連結軸８６が蓋体７の長孔７５を後向きに押すので、蓋本体７１が枢軸７３を中心として載置板６２の上面を閉じる方向に揺動する。そして、高台４２の下端部前側の外周面がストッパ６２ａに係合するところまで皿Ｐが後方に移動した時点で、図６にも示すように、高台Ｐ２の前部及び後部が容器載置部６０のストッパ６２ａと作動体８１の受け止め面８１ａとにより挟持される。これにより、皿板Ｐ１上の寿司Ｆが蓋本体７１で覆われる位置で皿Ｐが載置台６上に保持されるとともに、蓋本体７１も閉鎖位置で保持されるので不用意に開かない。
【００２０】
一方、顧客は、蓋本体７１の切り欠き７４を介して外周縁の外方に一部突出している皿板Ｐ１の縁部分を手で持って皿Ｐを持ち上げると、ストッパ６２ａと高台Ｐ２との当接が解除されて、作動体８１がスプリング８２の作用により復動し、これにより、蓋本体７１は開いて開放状態が維持される。
このように、寿司Ｆの搬送に際して前記の飲食物搬送用収容体５を用いることにより、皿Ｐに盛られた寿司Ｆが不用意に乾燥することが抑制され得るし、また顧客が誤って寿司Ｆに手などを触れることを防ぐこともできる。
【００２１】
本発明は、飲食物収容体５に収容されて飲食物搬送装置４により搬送される飲食物を管理するための飲食物搬送管理装置であって、次にこの飲食物搬送管理装置を説明する。
尚、本実施例では３０個の飲食物収容体５を用いた場合を例にして説明する。
図に示す飲食物搬送管理装置は、
複数の飲食物収容体５を個別に特定するための情報が書き込まれたＲＦＩＤと称されるＩＣタグ９と、
３０個の飲食部収容体５にそれぞれ取り付けたＩＣタグ９から飲食物収容体個別の特定情報を読み取るための読み取り器１と、
飲食物収容体５の蓋体７の開閉を検出するための開閉検出器１０と、
飲食物収容体５に収容する飲食物の種類を飲食物収容体５毎に複数種類設定したデータベース１１ａを有し、読み取り器１により読み取った情報と開閉検出器１０で検出した蓋体の開閉情報に基づいて飲食物収容体５により搬送される飲食物の種類を算出するためのコントローラ１１と、
コントローラ１１で算出した各種情報を報知するためのモニター１２と、
飲食物収容体５の蓋体７を開動作させるための蓋体開放装置１３が備えられている。
実施例では、３０個の飲食物収容体５に特定情報として１から３０の番号を付与するとともに、各ＩＣタグ９には、各飲食物収容体５をそれぞれ特定するための情報として、あらかじめライターにより「１」から「３０」の番号が書き込まれている。
【００２２】
またＩＣタグ９は、蓋体７の上面に着脱可能に取り付けられるホルダー９０に装着している。
ホルダー９０は、図８にも示すように、蓋体７の頂部に設けた貫通孔７６に挿嵌可能な脚部９１と、飲食物の種類名を掲載するための掲載部９２が備えられ、前記脚部９１を貫通孔７６に挿嵌することで、図３に示すように蓋体７に対して取り外し可能に取り付けられる。
ホルダー９０の掲載部９２には、ホルダー９０に装着したＩＣタグ９に書き込まれた１から３０の番号と符合する数字が掲載されている。即ち、例えば「１」の番号が書き込まれたＩＣタグを装着したホルダー９０の掲載部９２には「１」の数字が掲載されている。
コントローラ１１のデータベース１１ａには、各飲食物収容体５にそれぞれ収容する２種類の寿司が個別に設定されている。
例えば１番の飲食部収容体５には、一つ目（初期値）の寿司として「はまち」が、また２つ目の寿司として「あじ」がそれぞれ設定され、２番の飲食物収容体５には、一つ目（初期値）の寿司として「たこ」が、また２つ目の寿司として「いか」がそれぞれ設定され、３番の飲食物収容体５には、一つ目（初期値）の寿司として「ほたて」が、また２つ目の寿司として「つぶ貝」がそれぞれ設定されている。
なお４番から３０番の飲食物収容体５にあってもそれぞれ独自の２種類の寿司が設定されている。
【００２３】
読み取り器１及び開閉検出器１０は、寿司を盛った皿Ｐが取り出された飲食物容器５の特定情報としての番号（１〜３０）を得るための第１読み取り器１ａ及び第１開閉検出器１０ａと、寿司を盛った皿Ｐが所定時間取り出されない飲食物収容体５の特定情報としての番号（１〜３０）を得るための第２読み取り器１ｂ及び第２開閉検出器１０ｂから構成されている。
第１読み取り器１ａを構成する後記のアンテナＡ及び第１開閉検出器１０ａは、第４ハウジング部２ｄにおける搬送路３の搬送方向中間位置に設けられ、第２読み取り器１ｂ構成する後記のアンテナＡ及び第２開閉検出器１０ｂは、第４ハウジング部２ｄにおける搬送路３の搬送方向終端部に設けられている。
各読み取り器１ａ・１ｂは、リーダー本体ＲとアンテナＡから構成された既知構造のＩＣタグリーダーが用いられ、アンテナＡが搬送路３の上方に配置され、アンテナＡを介してリーダー本体Ｒで、各ＩＣタグ９に書き込まれた情報、即ち各飲食物収容体５をそれぞれ特定するための「１」から「３０」の番号を読み取るようにしている。
【００２４】
第１、第２開閉検出器１０ａ・１０ｂは、図２にも示すように、１つの発光素子Ｌと上下2段に配置した2個の受光素子Ｍ１・Ｍ２から構成され、発光素子Ｌが搬送路３の搬送方向と直交する方向一方側に、また受光素子Ｍ１・Ｍ２が搬送路３の搬送方向と直交する方向他方側にそれぞれ配置されている。
そして、第１、第２開閉検出器１０ａ・１０ｂは、飲食物収容体５が各読み取り器１ａ・１ｂを通過する時点で、発光素子Ｌから照射される光が載置台６で遮られて下部受光素子Ｍ２で受光されないようにするとともに、この時、飲食物収容体５から皿Ｐが取り出されて蓋体７が開いていると、発光素子Ｌから照射される光は上部受光素子Ｍ１で受光されるのに対して、皿Ｐが取り出されずに蓋体７が閉じている状態では、発光素子Ｌから照射される光は主として皿Ｐで遮られて上部受光素子Ｍ１で受光されないようにしている。
【００２５】
コントローラ１１は、第１読み取り器１ａ及び第１開閉検出器１０ａからの情報を入力するに伴い、第１読み取り器１ａで読み取ったＩＣタグに書き込まれた符号情報と、第１開閉検出器１０ａで検出した蓋体７の開閉状態から、蓋体7の開いた飲食物収容体５の番号を算出するとともに、データベース１１ａに設定した複数種類の飲食物データに基づいて、前回収容の飲食物とは異なる種類の飲食物名を算出して、後記する飲食物管理モニター１２ａに蓋体が開いた前記飲食物収容体５の番号と前回収容の飲食物とは異なる種類の飲食物名を表示するようにしている。
またコントローラ１１は、第２読み取り器１ｂ及び第２開閉検出器１０ｂからの情報を入力するに伴い、所定時間収容されている飲食物がとられることなく搬送路３上に滞留している飲食物収容体５の番号を算出して、その飲食物収容体５が後記する蓋体開放装置１３を通過する時点でこの蓋体開放装置１３を作動させると共に、その飲食物収容体の    番号とその飲食物収容体５から飲食物が盛られた皿Ｐを取り出す指示を後記の時間管理モニター１２ｂに表示するようにしている。
【００２６】
モニター１２は、蓋が開放された飲食物収容体５の番号及びその飲食物収容体に投入する飲食物の種類を表示するための飲食物管理モニター１２ａと、食されることなく搬送路３上に所定時間滞留している飲食物が搭載された飲食物収容体の番号を表示するための時間管理モニター１２ｂから構成され、いずれも厨房室Ｓ１に設置されている。
【００２７】
蓋体開放装置１３は、図７に示すように、飲食物収容体５に載置された皿Ｐを押し上げるための容器押し上げ体１３ａと、この容器押し上げ体１３ａを作動させるための作動装置１３ｂが備えられ、作動装置１３ｂの動作により、容器押し上げ体１３ａを介して皿Ｐを載置台６に対し押し上げて、蓋体７を開動作させるようにしている。
【００２８】
次に以上の飲食物搬送管理装置の作用を説明する。
先ず蓋体７が開いた３０個の飲食物収容体５を番号順に搬送路３に送り込む。
これら蓋体７の開いた飲食物収容体５が第１読み取り器１ａ及び第１開閉検出器１０ａを通過した段階で、コントローラ１１により各飲食物収容体５が判別される。
たとえば１番の飲食物収容体５が第１読み取り器１ａ及び第１開閉検出器１０ａを通過すると、コントローラ１１の判別により、飲食物管理モニター１２ａには、「１」の番号とデータベースに登録されている１つ目の飲食物である「はまち」が表示される。
また例えば２番の飲食物収容体５が第１読み取り器１ａ及び第１開閉検出器１０ａを通過すると、コントローラ１１の判別により、飲食物管理モニター１２ａには、「２」の番号とデータベースに登録されている１つ目の飲食物である「たこ」が表示される。
従業員は、順次、飲食物管理モニター１２ａに表示される飲食物を用意して、その飲食物を厨房室Ｓ１において所定の番号の飲食物収容体５に投入するのであって、これにより予め決められた種類の寿司を収容した飲食物収容体５が搬送路３を介して客室Ｓ２に順次搬送される。
【００２９】
一方、顧客は順次送られてくる飲食物収容体５から好みの寿司を取り出して食するのであって、例えば２番の飲食物収容体５に収容された寿司「たこ」が皿Ｐとともに取り出されると、２番の飲食物収容体５の蓋体７は開く。
そして、蓋体７の開いた２番の飲食物収容体５が第１読み取り器１ａ及び第１開閉検出器１０ａを通過する時点で、これら第１読み取り器１ａ及び第１開閉検出器１０ａからの情報に基づき、コントローラ１１により、飲食物管理モニター１２ａには、「２」の番号とデータベースに登録されている２つ目の飲食物である「いか」が表示される。
斯くして従業員は、飲食物管理モニター１２ａに表示される「いか」の寿司を作成して、厨房室Ｓ１に戻ってくる２番の飲食物収容体５に補充するのである。
【００３０】
さらに例えばこの２番の飲食物収容体５が客室Ｓ２に送り込まれた後、顧客より「いか」の寿司が取り出され、蓋体７の開いた２番の飲食物収容体５が第１読み取り器１ａ及び第１開閉検出器１０ａを通過すると、これら第１読み取り器１ａ及び第１開閉検出器１０ａからの情報に基づき、コントローラ１１により、飲食物管理モニター１２ａには、「２」の番号とデータベースに登録されている１つ目の飲食物である「たこ」が表示されるのである。
斯くして、各飲食物収容体５には、補充される飲食物が取り出されるたびに前回とは異なる種類の寿司が補充されて客室に送りこまれることとなり、顧客に対してより多くの種類の飲食物を合理的に提供可能である。
【００３１】
また蓋体７の閉じた飲食物収容体５が第２読み取り器１ｂ及び第２開閉検出器１０ｂを通過する時点で、第２読み取り器１ｂによりＩＣタグ９から飲食物収容体５を特定する番号を読み取るとともに、第２開閉検出器１０ｂにより蓋体７が閉じている飲食物収容体５を検出して、これら第２読み取り器１ｂ及び第２開閉検出器１０ｂからの情報に基づき、コントローラ１１により、蓋体７の閉じた飲食物収容体５、即ち寿司が収容されている飲食物収容体５の搬送路３上での滞留時間が予め設定された一定時間以上経過したか否か、換言すれば、飲食物収容体５内に収容した寿司が食されることなく一定時間以上搬送路３に滞留しているか否かを判別する。
搬送路３での滞留時間が一定時間以上である場合には、その飲食物収容体５が蓋体開放装置１３を通過する時点で、コントローラ１１を介して蓋体開放装置１３の押し上げ体１３ａを作動させて、蓋体７を強制的に開放させると共に、更にその飲食物収容体５が時間管理モニター１２ｂの近くに近づいた時点で、蓋体７の開いた前述の飲食物収容体５に収容されている寿司の取り出し指示を時間管理モニター１２ｂに表示する。
【００３２】
一方、従業員は、蓋体７の開いた飲食物収容体５に収容されている寿司を皿Ｐとともに取り出した上で、コントローラ１１に連動する取り出し確認ボタン（図示せず）を押すと、前述の飲食物収容体５の搬送路３での滞留時間に関するデータがリセットされ、以降、その飲食物収容体５に新しく収容される寿司の滞留時間管理が開始される。
【００３３】
以上の実施形態では、飲食物収容体５に収容する飲食物として寿司を例にして説明したが、これに限定されるものではなく、例えば果物やショートケーキなどの飲食物でもよい。
また以上の実施形態では、コントローラ１１のデータベース１１ａには、各飲食物収容体５にそれぞれ収容する２種類の寿司を個別に設定したが、これに限定されるものではなく、例えば３種類の飲食物を個別に設定してもよい。
【符号の説明】
【００３４】
１    読み取り器
１０  開閉検出器
１１  コントローラ
１２  モニター
１３  蓋体開放装置
３    搬送路
４    飲食物搬送装置
５    飲食物収容体
６０  容器載置部
７    蓋体
８    開閉機構
９    ＩＣタグ
Ｆ    寿司（飲食物）
Ｓ１  客室
Ｓ２  厨房室
【図１】
2017023430.tif 000003
【図２】
2017023430.tif 000004
【図３】
2017023430.tif 000005
【図４】
2017023430.tif 000006
【図５】
2017023430.tif 000007
【図６】
2017023430.tif 000008
【図７】
2017023430.tif 000009
【図８】
2017023430.tif 000010
【図９】
2017023430.tif 000011
【図１０】
2017023430.tif 000012